(57)【特許請求の範囲】
【請求項１】
ディスクを乗せてディスクドライブの本体内に進入するトレイをロックするディスクドライブのトレイロック装置において、
前記本体に設けられたロックピンと、
前記トレイに回転自在に設けられ、一側には前記トレイが本体内に進入するに伴い前記ロックピンに係止されるフック部が設けられたロックレバーと、
前記ロックレバーを前記フック部の前記ロックピンへの係止方向に付勢する弾性部材と、前記トレイ引出し時に前記ロックレバーを前記フック部の前記ロックピンへの係止位置から外れるように回転させる駆動機構と、
前記ロックレバーのロック解除側に回転自在に設けられたカウンターインパクトレバーと、
前記カウンターインパクトレバーを介して前記ロックレバーと対向する位置に設けられ、前記カウンターインパクトレバーが前記ロックレバーから離間する方向へ回動することを阻止するストッパーと、
を備えており、
前記カウンターインパクトレバーは、前記ストッパーに当接したときの反力により前記ロックレバーとは反対方向に回転しようとするモーメントを有しており、衝撃により前記ロックレバーがロック解除される方向に回転しようとする時にそれとは反対方向に回転しつつロックレバーと衝突してロック解除を防止することを特徴とするディスクドライブのトレイロック装置。
【請求項２】
前記駆動機構は、
中空が形成されたボビンと、
一側が前記中空内に摺動自在に挿入され、他側は前記ロックレバーに係合されたプランジャと、
前記ボビンに巻き回されたコイルと、
前記プランジャの前記ロックレバーに係合される側に設けられた磁石と、
磁石との引力が作用するように前記ボビンに設けられた磁性体とを含むことを特徴とする請求項１に記載のディスクドライブのトレイロック装置。
【請求項３】
前記ロックレバーには、使用者が手動で押して回転させられるようにその胴体から延びた手動プッシュ部がさらに備えられたことを特徴とする請求項１に記載のディスクドライブのトレイロック装置。
【発明の詳細な説明】
【０００１】
【発明の属する技術分野】
本発明はディスクドライブ内に挿入されたトレイを堅固にロックしていて、それを取り出す時にロック解除させるトレイロック装置に関する。
【０００２】
【従来の技術】
一般に、ディスクを記録媒体としてローディングして使用するディスクドライブには、使用するディスクを乗せてドライブ内に運ぶトレイが備えられている。すなわち、トレイにディスクを乗せてドライブ内に引き入れれば、ディスクがドライブ内の装着位置にローディングされ、以降にドライブ内においてディスクに対する記録及び／または再生作業が行える構造となっている。そして、このようにドライブ内においてディスクに対する記録及び／または再生作業が行われる最中に、外部衝撃等によりトレイが再び外側に飛び出されればならないため、これを防止するために、ドライブ内に引き入れられたトレイをロックするトレイロック装置も備えられる。
【０００３】
図１は、かかるトレイロック装置であって、特開２０００−１１５１３号公報に開示された従来の構造を示している。
【０００４】
図示のように、このトレイロック装置は、ドライブ本体１３内に設けられたロックピン３５と、このロックピン３５に選択的にロックされるようにトレイ１４の下面に設けられたロックレバー５０と、このロックレバー５０を駆動する駆動機構６０とを備える。
【０００５】
まず、ロックレバー５０は、ロックピン３５に係止されるフック部５１ａを有すると共に、トレイ１４の下面に設けられた回転軸５３に回転自在に設けられたアーム５１と、このアーム５１と同軸５３上に回転自在に設けられたレバー５２とを含んでなる。アーム５１は、第１スプリング５５によりレバー５２に対して図の時計方向に付勢されており、レバー５２は第２スプリング５６によりトレイ１４に対して時計方向に付勢されている。従って、このロックレバー５０の全体は、図のように、フック部５１ａがロックピン３５に係止されるように弾性力を受けている。
【０００６】
また、駆動機構６０は、一側がレバー５２の係合ピン５２ｅに係合されるようにヨーク６２に支持されたプランジャ６３と、このプランジャ６３の他側に吸引力を加える永久磁石６４、及びヨーク６２に巻き回されてプランジャ６３に電磁気力を作用させるためのコイル６１を含む。
【０００７】
このような構成のロック装置を備えたトレイ１４をドライブ本体１３内に進入すれば、一旦アーム５１のフック部５１ａがロックピン３５に干渉されて押されつつ、図２Ａに示されたように、図の反時計方向に回転する。続いて、トレイ１４が進入してドライブ本体１３内の装着位置に完全にローディングされれば、図２Ｂのように、アーム５１が第１スプリング５５の弾性力により元の位置に戻りつつフック部５１ａがロックピン３５に係止される。従って、以降には、トレイ１４を本体１３から取り出そうとしてもフック部５１ａがロックピン３５に係止されて外さない。この時、コイル６１には、永久磁石６４による吸引力とは反対方向の電磁気力がプランジャ６３に作用するように電流が流れており、両力が相殺される状態を保つ。
【０００８】
そして、反対に、トレイ１４を本体１３から引き出す時には、コイル６１に永久磁石６４による吸引力と同じ方向に電磁気力がプランジャ６３に作用するように電流の通電方向を制御する。これにより、プランジャ６３が永久磁石６４の吸引力及びコイル６１への通電電流により形成された電磁気力を受け、図２Ｃのように、永久磁石６４側に移動する。この時、プランジャ６３が係合ピン５２ｅを引っ張りつつロックレバー５０を反時計方向に回転させる。これにより、フック部５１ａとロックピン３５とのロックが解除され、この状態でトレイ１４を引き出せば、本体１３からスムーズに外される。
【０００９】
通常、本体１３の内部には、トレイ１４に本体１３の外側に弾性力を加えているプッシュユニット（図示せず）が設けられている。従って、ロックが解除された途端にこのプッシュユニットがトレイ１４を本体１３の外側に僅かに押し出す。以降には、使用者が手でトレイ１４を引っ張って取り出せば良い。そして、ロックが解除されてトレイ１４が引き出されれば、駆動機構６０のコイル６１にさらに永久磁石６４の吸引力とは反対方向の電磁気力がプランジャ６３に作用するように通電する。これにより、両力が相殺されてプランジャ６３が自由状態となり、この時、第１及び２スプリング５５，５６の弾性力によりロックレバー５０が図２Ｄのように元の位置に戻る。
【００１０】
ところで、このような構成のトレイロック装置においては、外部からディスクドライブに強い衝撃が加わった時、ロックピン３５に係止されていたロックレバー５０のフック部５１ａが図の反時計方向に僅かに動きつつ瞬間的にロックが解除される場合がある。もし、その衝撃がトレイ１４を本体１３の外側に押し出す方向に作用するのであれば、ロックが解除された途端にトレイ１４が本体１３の外側に飛び出される場合があり、記録再生作業の安定性を確保する上での問題点として指摘されている。
【００１１】
また、前記ロック装置においては、ロックレバー５０のフック部５１ａとロックピン３５とが係合されたロック状態を保持するために、コイル６１に電流を流し続けて永久磁石６４による吸引力を相殺させる電磁気力を生じる必要があるため、電力の消耗が多くなるという短所もある。
【００１２】
【発明が解決しようとする課題】
本発明は上記事情に鑑みてなされたものであり、その目的は、外部衝撃に対してもトレイのロック状態が安定に保てるように改善されたディスクドライブのトレイロック装置を提供するところにある。
【００１３】
【課題を解決するための手段】
前記目的を達成するために、本発明は、ディスクを乗せてディスクドライブの本体内に進入するトレイをロックするディスクドライブのトレイロック装置において、
前記本体に設けられたロックピンと、
前記トレイに回転自在に設けられ、一側には前記トレイが本体内に進入するに伴い前記ロックピンに係止されるフック部が設けられたロックレバーと、
前記ロックレバーを前記フック部の前記ロックピンへの係止方向に付勢する弾性部材と、前記トレイ引出し時に前記ロックレバーを前記フック部の前記ロックピンへの係止位置から外れるように回転させる駆動機構と、
前記ロックレバーのロック解除側に回転自在に設けられたカウンターインパクトレバーと、
前記カウンターインパクトレバーを介して前記ロックレバーと対向する位置に設けられ、前記カウンターインパクトレバーが前記ロックレバーから離間する方向へ回動することを阻止するストッパーと、
を備えており、
前記カウンターインパクトレバーは、前記ストッパーに当接したときの反力により前記ロックレバーとは反対方向に回転しようとするモーメントを有しており、衝撃により前記ロックレバーがロック解除される方向に回転しようとする時にそれとは反対方向に回転しつつロックレバーと衝突してロック解除を防止することを特徴とする。
【００１５】
また、前記駆動機構は、中空が形成されたボビンと、一側が前記中空内に摺動自在に挿入され、他側は前記ロックレバーに係合されたプランジャと、前記ボビンに巻き回されたコイルと、前記プランジャの前記ロックレバーに係合される側に設けられた磁石と、磁石との引力が作用するように前記ボビンに設けられた磁性体とを含むことが望ましい。
【００１６】
【発明の実施の形態】
図３ないし図８は、本発明に係るロック装置が設けられたトレイの下面一側を示すものである。
【００１７】
図３を参照すれば、ディスクドライブ本体２００内には、トレイ１００ロックのためのロックピン２０１が設けられている。そして、トレイ１００の下面には締結部材１５１によりブラケット１５０が固設されており、本体２００内への進入時にロックピン２０１に係止されるロックレバー１１０がブラケット１５０上において回転軸１１３に対して回転自在に設けられている。このロックレバー１１０は、その一側にロックピン２０１に係止されるフック部１１１が設けられており、他側には後述するプランジャ１３１に係合される係合ピン１１４及び使用者が手動でロックレバー１１０を回わせるように延びた手動プッシュ部１１２が設けられている。そして、スプリング１１５により図の時計方向、すなわち、フック部１１１がロックピン２０１に係止される方向に付勢されている。
【００１８】
また、このロックレバー１１０をスプリング１１５の弾性力とは反対方向に回転させるための駆動機構１３０が設けられている。この駆動機構１３０は、ロック解除時、すなわち、フック部１１１とロックピン２０１との係合を解放する時に作動されるものであり、中空１３４ａが形成されたボビン１３４と、中空１３４ａに摺動自在に設けられたプランジャ１３１と、ボビン１３４に巻き回された通電用コイル１３３と、ボビン１３４の出口側に設けられた磁性体１３７、及びプランジャ１３１に取り付けられた永久磁石１３２を含んでなる。ここで、プランジャ１３１は、一端側の中空１３４ａ内に摺動自在に挿入され、他端側はロックレバー１１０の係合ピン１１４に係合されている。従って、このプランジャ１３１が摺動すれば、ロックレバー１１０が回転軸１１３を中心として回転する。
【００１９】
永久磁石１３２は、その磁力により磁性体１３７側に動こうとする傾向を有する。従って、この永久磁石１３２そのものはロックレバー１１０がロックピン２０１にロックされる方向に回転するようにプランジャ１３１を動かすので、スプリング１１５と共にロックレバー１１０のロック状態を堅固に保つ役割を果たす。そして、ボビン１３４に巻かれたコイル１３３は、必要あれば、ボビン１３４の先端部側に永久磁石１３２とは反対の極性が形成されるように電流を流し、その時に生じる斥力により係合ピン１１４を押し出すことにより、ロックレバー１１０をロック解除方向に回転させる役割を果たす。一方、永久磁石１３２とボビン１３４の先端部との間には僅かなギャップＧを置いた方が良い。なぜならば、図１０に示されたように、両物体間の磁力はそれらの間のギャップが隔たるほど弱まるが、ギャップ無しに密着されていれば、磁力が相当強くなる。従って、永久磁石１３２及びボビン１３４の先端が密着されていれば、その分だけロックレバー１１０をロック解除方向に回転させるためにプランジャ１３１を動かし難い。このために、磁力が強過ぎたり弱過ぎたりしないように適宜な範囲のギャップＧａ〜Ｇｂを置いた方が良い。そして、前記磁性体は、図９に示されたように、“Ｃ”字状リング１３７をもって構成してその開放部１３７ａを介してボビン１３４の外周面に嵌着させても良く、図１０に示されたように、“Ｔ”字状部材１３７’をもって構成してボビン１３４先端の係合溝１３４ｂに嵌合させても良い。参照符号１３５は、コイル１３３の端子部１３３ａと接続される可撓性プリント回路基板（ＦＰＣ：ｆｌｅｘｉｂｌｅ ｐｒｉｎｔｅｄ ｃｉｒｃｕｉｔ）を表わし、参照符号１３６は、絶縁テープを表わす。
【００２０】
次に、ロックレバー１１０に隣接して所定ストッパー１２１により回転範囲が限られたカウンターインパクトレバー１２０が回転自在に設けられている。このカウンターインパクトレバー１２０は、図のように、その重心が反時計方向、すなわちストッパー１２１方向に偏って形成されており、衝撃が加われば、ストッパー１２１にぶつかる方向に一旦回転する。これは、ロックレバー１１０がスプリング１１５により時計方向、すなわちロックピン２０１側に付勢されていることは対称的にカウンターインパクトレバー１２０のモーメントを形成したことである。この状態で衝撃が加われば、ロックレバー１１０は付勢された方向に一旦動いてロックピン２０１にぶつかった後、その反力により反時計方向に飛び出され、カウンターインパクトレバー１２０はストッパー１２１に一旦ぶつかった後にその反力により時計方向に飛び出される。これにより、ロックレバー１１０及びカウンターインパクトレバー１２０が中間で衝突し合い、それ以上の回転を互いに妨げる。このことは、カウンターインパクトレバー１２０がロックレバー１１０の反時計方向の回転を妨げ、フック部１１１とロックピン２０１とのロックが衝撃により解除される現象を防ぐためである。
【００２１】
前記構成のロック装置を備えたトレイ１００をドライブ本体２００内に進入させれば、図３に示されたように、スプリング１１５により付勢されたロックレバー１１０のフック部１１１がロックピン２０１に弾力的に係止され、堅固なロック状態を保つ。そして、この時、プランジャ１３１の係合ピン１１４が係合された側は永久磁石１３２と磁性体１３７との間に引力が作用する状態であり、コイル１３３には電流が流れない。従って、ロック状態が保たれる間にはプランジャ１３１の位置を制御するための別途の電力は消耗されない。
【００２２】
次に、このロック状態で記録及び再生作業が行われるが、もし、外部から衝撃が加わる場合には、前述の通り、カウンターインパクトレバー１２０がロックレバー１１０のロック解除方向の回転を妨げる。すなわち、ロックレバー１１０は、ロックピン２０１にぶつかってから反時計方向に飛び出され、カウンターインパクトレバー１２０は、ストッパー１２１にぶつかってから時計方向に飛び出され、図４に示されたように、中間地点において衝突し合ってそれ以上の回転を互いに妨げる。従って、記録及び再生作業の最中に外部衝撃が加わるとしても、カウンターインパクトレバー１２０がロックレバー１１０のロック解除方向の動きを妨げるため、トレイ１００が突然本体２００の外側に飛び出されることはない。
【００２３】
次に、トレイ１００を本体２００から引き出すために使用者がディスクドライブのエジェクトボタン（図示せず）を押せば、永久磁石１３２の極性とは反対方向の極性がボビン１３４の先端部側に形成されるようにＦＰＣ １３５を介してコイル１３３に電流が供給される。これにより、ボビン１３４の先端部側と永久磁石１３２との間に斥力が生じ、図５のようにプランジャ１３１が移動しつつロックレバー１１０を回転させる。これにより、フック部１１１とロックピン２０１とのロックが解除され、同時に本体２００内においてトレイ１００に本体２００の外側方向に弾性力を加えているプッシュユニット（図示せず）がトレイ１００を図６のように本体２００の外側に僅かに押し出す。そして、このようにトレイ１００が本体２００の外側に飛び出されれば、コイル１３３に供給された電流を直ぐ切ってしまう。これにより、スプリング１１５の弾性力と永久磁石１３２及び磁性体１３７間の吸引力によりプランジャ１３１及びロックレバー１１０が、図のように、直ちに元の位置に戻る。従って、コイル１３３への電流供給時期はロック解除動作が行われるしばらくの間だけであり、それ以外には電流を供給しないため、ロック及びロック解除動作に消耗される電力は極めて少量に過ぎない。以降には、使用者が手でトレイ１００を引っ張り、図７のように本体２００から完全に取り出せば良い。
【００２４】
一方、トレイ１００が本体２００内にロックされた状態で電源の供給無しに使用者がマニュアルでトレイ１００を取り出そうとする場合には、図８に示されたように、トレイ１００の前面側においてピン１４０などを利用してロックレバー１１０の手動プッシュ部１１２を押す。これにより、手動プッシュ部１１２が図面の右側に押されつつロックレバー１１０を反時計方向に回転させ、これにより、フック部１１１とロックピン２０１とのロックが解除されつつトレイ１００が本体２００の外側に取り出される。
【００２５】
従って、この種のトレイロック装置は従来に比べて極めて少量の電力でもロック及びロック解除動作を円滑に行え、特に、外部から衝撃が加わる場合、ロックレバーのロック解除方向の回転を阻止してトレイロックが解除されることを防ぐ。
【００２６】
一方、この実施形態では、別途の磁性体１３７，１３７’をボビン１３４に設けて永久磁石１３２と引力が作用するように構成したことを例示したが、図１１に示されたように、磁性体１３７，１３７’を省略し、ボビン１３４そのものを磁性体として構成しても良い。これにより、ボビン１３４そのものと永久磁石１３２との間の引力が正常に作用する。そして、永久磁石１３２との引力の強度に鑑みてボビン１３４全体を磁性体としても良いが、一部のみ磁性体として構成しても良い。
【００２７】
また、この実施形態では、組立て工程上の便宜のために、ロックレバー１１０、カウンターインパクトレバー１２０、駆動機構１３０などのロック装置構成要素をいずれもブラケット１５０に設けて単一のユニットとして用意した後、このブラケット１５０を締結部材１５１としてトレイ１００に固定する構造を例示したが、ブラケット１５０を省略し、前記構成要素をトレイ１００に直接的に設けても良いことは言うまでもない。
【００２８】
【発明の効果】
以上述べたように、本発明に係るディスクドライブのトレイロック装置は、外部衝撃が加わってもロック状態を堅固に保て、且つ、ロック及びロック解除動作に消耗される電力も従来に比べて大幅に低減できる。
【図面の簡単な説明】
【図１】従来のトレイロック装置を示す図である。
【図２Ａ】図１に示されたトレイロック装置によるロック及びロック解除過程を順番に示す図である。
【図２Ｂ】図１に示されたトレイロック装置によるロック及びロック解除過程を順番に示す図である。
【図２Ｃ】図１に示されたトレイロック装置によるロック及びロック解除過程を順番に示す図である。
【図２Ｄ】図１に示されたトレイロック装置によるロック及びロック解除過程を順番に示す図である。
【図３】本発明に係るトレイロック装置を示すものであって、ロック状態からロック解除状態までの変化を順番に示す図である。
【図４】本発明に係るトレイロック装置を示すものであって、ロック状態からロック解除状態までの変化を順番に示す図である。
【図５】本発明に係るトレイロック装置を示すものであって、ロック状態からロック解除状態までの変化を順番に示す図である。
【図６】本発明に係るトレイロック装置を示すものであって、ロック状態からロック解除状態までの変化を順番に示す図である。
【図７】本発明に係るトレイロック装置を示すものであって、ロック状態からロック解除状態までの変化を順番に示す図である。
【図８】図３に示されれたトレイロック装置をマニュアルでロック解除させることを示す図である。
【図９】図３に示されたトレイロック装置のうち磁性体を抜粋して示す図である。
【図１０】磁力が作用する両物体間の距離と磁力との関係を示すグラフである。
【図１１】図９に示された磁性体の変形可能な例を示す斜視図である。
【図１２】図９に示された磁性体の他の変形可能な例を示す図である。
【符号の説明】
１００  トレイ
１１０  ロックレバー
１１１  フック部
１１４  係合ピン
１１５  スプリング
１３１  プランジャ
２００  ドライブ本体
２０１  ロックピン
【図１】
0003841736.tif 000002
【図２Ａ】
0003841736.tif 000003
【図２Ｂ】
0003841736.tif 000004
【図２Ｃ】
0003841736.tif 000005
【図２Ｄ】
0003841736.tif 000006
【図３】
0003841736.tif 000007
【図４】
0003841736.tif 000008
【図５】
0003841736.tif 000009
【図６】
0003841736.tif 000010
【図７】
0003841736.tif 000011
【図８】
0003841736.tif 000012
【図９】
0003841736.tif 000013
【図１０】
0003841736.tif 000014
【図１１】
0003841736.tif 000015
【図１２】
0003841736.tif 000016